(57)【要約】【課題】  便受面（枠体）に滑止部を設けることにより、大型犬でも滑ることなく、安全・安心して排便することができると共に、渦巻き状に流水する洗浄水路を設けることにより、周囲の排便を確実に排水処理でき、手足も濡れることがない。  また、タンクでも水道直結でも使用できるため、屋内でも屋外でも設置できる。  さらに、センサを天井方向に設けることにより、枠体内への犬・猫の出入りが確実に検知できる。  さらにまた、自動弁によりセンサと連動して流水ＯＮ・ＯＦＦを制御できると共に、手動弁により躾ができ、必要に応じて選択できる効果を有するものである【解決手段】  犬・猫が入って排便するための中央に向かって傾斜した、滑止部を設けてなる便受面と、該便受面の外周に設けてなる縁部とからなる枠体と、該枠体内に少なくとも１つの流出口を設けてなり渦巻き状に流水する洗浄水路と、中央に設けてなる排水部とからなることを特徴とする。【選択図】  図１
2005287490.tif 000002
【特許請求の範囲】
【請求項１】
犬・猫が入って排便するための中央に向かって傾斜した、滑止部を設けてなる便受面と、該便受面の外周に設けてなる縁部とからなる枠体と、該枠体内に少なくとも１つの流出口を設けてなり渦巻き状に流水する洗浄水路と、中央に設けてなる排水部とからなることを特徴とする犬・猫用水洗便器。
【請求項２】
縁部の上面に滑止部を設けてなることを特徴とする請求項１記載の犬・猫用水洗便器。
【請求項３】
洗浄水路に連結してなるタンクを設けてなることを特徴とする請求項１又は２記載の犬・猫用水洗便器。
【請求項４】
洗浄水路に水道管の水を直結してなることを特徴とする請求項１又は２記載の犬・猫用水洗便器。
【請求項５】
犬・猫の出入りを検知するセンサを設けてなることを特徴とする請求項１、２、３又は４記載の犬・猫用水洗便器。
【請求項６】
センサを天井方向に設けてなることを特徴とする請求項５記載の犬・猫用水洗便器。
【請求項７】
流水を自動的に行う自動弁管を設けてなることを特徴とする請求項１、２、３、４、５又は６記載の犬・猫用水洗便器。
【請求項８】
流水を手動で行う手動弁管を設けてなることを特徴とする請求項１、２、３、４、５又は６記載の犬・猫用水洗便器。
【請求項９】
枠体を円形に形成してなることを特徴とする請求項１、２、３、４、５、６、７又は８記載の犬・猫用水洗便器。
【請求項１０】
枠本体の高さを調整する高さ調整具を設けてなることを特徴とする請求項１、２、３、４、５、６、７、８又は９記載の犬・猫用水洗便器。
【発明の詳細な説明】
【技術分野】
【０００１】  本発明は、主に家庭で飼育する犬・猫用のために考案された犬・猫の手足が滑らない、かつ、濡れない安定型の犬・猫用水洗便器に関するものである。
【背景技術】
【０００２】  ペットとして、飼育される犬・猫（以下はペットと記述）の従来の排便は、一般には屋内又は屋外の特定した所に砂やペーパー等を置きその上に排便させている。
犬の場合は散歩に連れて行くときに排便させたり、ペーパーを置いてその上に排便させているのが現状である。猫の場合は放任して自由に適当な場所で排便させている場合と、部屋の内外の箱の中に砂などをいれてそこをトイレとして排便させているのが現状である。
また、ペットの自動水洗トイレもあるが、一方向に傾斜して滑りやすいために犬は便器の中で安定した体勢をとるのが難しい。そのため横向きになって排便したり、また立って両手を壁に掛けるようにして立ったまま大便をすることもある。どちらかと言えば、大便の方は外にする方が多い。したがって、躾ができたように見えても犬にとっては仕方なく使っているように思われる。便受け面が滑りやすいことと濡れることと便受け面が一方向に傾斜している不安定さは大便（小便）をする場合は犬・猫が嫌がっているのが現状である。このためペットにとっては大変に使いにくい便器である。また、飼い主にとっても躾をすることが大変難しく普及しない現状だと思われる。【０００３】  また、別の従来技術として、容器の両側に水はねを防止するガードを取付け、前方に登口を付ける。中に凹凸の付いたゴムの板をひき、滑らないようにした。後方タンクに水を取置き、その水で糞尿を洗流し処理する。糞尿タンクが満タンに成ったら、トイレに捨てるようにした犬・猫用水洗トイレが開示されている。（特許文献１参照）
【特許文献１】  特開２００３−２６５０５９号公報
【発明の開示】
【発明が解決しようとする課題】
【０００４】  上記、特許文献においては、中に凹凸の付いたゴムの板をひき、滑らないようにしているが、図３のように一方に傾斜しており、犬・猫が怖がって排便等を行うことができないのが現状である。
また、水ハネを防止するガードを両側に設けることにより、決まった方向からしか入ることができず、上記のように傾斜しており、使用時に手足が濡れることがあり、実用的に多々問題がある。【０００５】  本発明は、上記の問題点に鑑みなされたもので、少なくとも便受面に滑止部を設けることにより、大型犬でも滑ることなく、安全・安心して排便することができると共に、渦巻き状に流水する洗浄水路を設けることにより、周囲の排便を確実に排水処理でき、手足も濡れることがない。
また、タンクでも水道直結でも使用できるため、屋内でも屋外でも設置できる。
さらに、センサを天井方向に設けることにより、枠体内への犬・猫の出入りが確実に検知できる。
さらにまた、自動弁によりセンサと連動して流水ＯＮ・ＯＦＦを制御できると共に、手動弁により躾ができ、必要に応じて選択できる効果を有するものである
【課題を解決するための手段】
【０００６】  そして、本発明は上記目的を達成するために、犬・猫が入って排便するための中央に向かって傾斜した、滑止部を設けてなる便受面と、該便受面の外周に設けてなる縁部とからなる枠体と、該枠体内に少なくとも１つの流出口を設けてなり渦巻き状に流水する洗浄水路と、中央に設けてなる排水部とからなること。また、縁部の上面に滑止部を設けてなること。さらに、洗浄水路に連結してなるタンクを設けてなること。洗浄水路に水道管の水を直結してなること。さらにまた、犬・猫の出入りを検知するセンサを設けてなること。センサを天井方向に設けてなること。その上、流水を自動的に行う自動弁管を設けてなること。流水を手動で行う手動弁管を設けてなること。その上また、枠体を円形に形成してなること。枠本体の高さを調整する高さ調整具を設けてなることを特徴とする。
【発明の効果】
【０００７】１）、便受面（枠体）に滑止部を設けることにより、大型犬から小型犬・猫まで滑ることなく、安全・安心して使用できる。
２）、流水を渦巻き状にすることにより周囲の排便を確実に排水処理できる。
３）、タンクでも水道直結でも使用できるため、屋内でも屋外でも設置できる。
４）、センサを天井方向に設けることにより枠体全体をカバーでき、かつ周囲を通行する犬等には反応せず、確実に制御できる。
５）、流水を自動弁でも手動弁でもでき、特に手動弁の場合、最初の段階の躾時において有効である。
６）、枠体を円形にすることより、すべての方向から入ることができ、使用し易いものである。
７）、手足の真中を排水口に向けてシッコが流れるために、手足がし尿で汚れることなく、清潔に使用できるものである。
８）、高さ調整具を設けることにより、施工場所により高さ調整が可能であり、設置場所を選ばないため、マンションでも一般住宅でも使用できるものである。
【発明を実施するための最良の形態】
【実施例１】
【０００８】  １は、犬・猫用水洗便器である。
２は、円形に形成した枠体で、犬・猫が入って排便するための中央に向かって傾斜した全面に凹凸状に形成した滑止部２ａ１を設けてなる便受面２ａと、該便受面２ａの外周に上面全面に凹凸状の滑止部２ｂ１を設けると共に、側面に３つの流水口２ｂ２設けてなるものであり、中央に排水口２ｃを設けてある。
なお、枠体２の材質はセラミック、コンクリート、樹脂、陶器、金属、非鉄金属等、必要に応じて選定すればよい。
また、滑止部２ａ１・２ｂ１は、成形時（加工時）に表面を凹凸状にするものであるが、同様な機能を有するものであれば、特に限定しない。
３は、上記流水口２ｂ２に連結してなり渦巻き状に流水する洗浄水路で、ループ状の洗浄管３ａを設けると共に、該洗浄管３ａより３本突出した、先端を流水口２ｂ２に連設してなる分岐管３ｂを設け、一端に吸水口３ｂを設けてなるものである。
４は、タンクで、赤外線等を通す点検口４ａ１を設け、配管等を隠すと共に、水を溜めることのできるＢＯＸ４ａを設けてなるものである。
５は、点検口４ａ１に設けてなるセンサで、犬や猫が範囲内に入ったかどうかをチェックするもので、特にセンサの種類は限定しない。
６は、流水を自動的に行う（制御）自動弁管で、モーターバルブ６ａとレバー式バルブ６ｂを設けてなるものである。
７は、流水を手動的に行う手動弁管で、レバー式バルブ７ａを設けてなるものである。
なお、施工時において、常時水が溜まっていて、悪臭が逆戻りしないようにした屈曲管８を設ける。
また、流水の制御等は制御部９で行うものとする。【０００９】  上記犬・猫用水洗便器１の使用例について下記に述べる。
小型の猫Ｎが便受面２ａに入った時、センサ５が検知し、排便等をすませた後、ＢＯＸ４ａ内の水Ｍが洗浄管３ａを通って、分岐管３ｂに流入し、流水口２ｂ２より勢いよく水Ｍ１が流出し、渦巻き状に形成し、便等を流し、排水口２ｃより外へ排出するものである。【００１０】  センサ５は犬Ｉ・猫Ｎが枠体２に入ったのと枠体２から出たのを検知するが、排便以外に一寸覗いたり、前を通過したのみの場合もそれを検知するため、その都度水洗すると水の無駄が大きくなる。
そこで、犬Ｉ・猫Ｎがその習性上排便に必要な最低時間を実験により設定した所定時間（３〜１０秒）を経過したときのみにモーターバルブ６ａを駆動して水洗し、所定時間以内の場合は排便しないものとして水洗せず節水を図るようにするための所定時間の設定と、排便して退去した直後に水洗すると犬Ｉ・猫Ｎがその音に驚いて寄りつかなくなる恐れがあるので、退去して数秒後に洗浄する猶予時間（５〜２０秒）の設定とを制御部９にインプットしておくものであり、この所定時間と猶予時間の設定は一定の範囲で任意に変更することができる。【００１１】  なお、大型の犬Ｉの場合、前足を滑止部２ｂ１に乗せて排便等を行うこともあり、犬Ｉや猫Ｎの大きさや性格によっても対応できるよう開発してある。
【実施例２】
【００１２】  つぎに、他の実施例を説明する。
犬・猫用水洗便器２１は、上記と同様な枠体２２の流水口２２ｂ２に連結してなる上記と同様な洗浄水路２３を設けると共に、一端に設けた吸水口２３ｂに、上記と同様な流水を自動的に制御して行う自動弁管２６と流水を手動弁管２７を連結してある。
また、天井方向に上記と同様なセンサ２５を設けると共に、該センサ２５と自動弁管２６を制御する制御部２９を設けてなるものである。【００１３】  犬・猫用水洗便器２１は、洗浄水路２３の吸水口２３ｂに水道管の水Ｍ２を直結してなるもので、センサ２５を天井に設け、タンク（ＢＯＸ）を設けていないため場所を取らず、特に狭い場所や屋外に設置しても安価に提供できる。
特に、躾をする時に、直結しているため、手動弁管２７のレバー式バルブ２７ａにより、使用後に流水させるもので、自分で排便等ができるようになってからは自動弁管２６に切り替えて使用するものである。【００１４】  つぎに、上記枠本体の高さを調整する高さ調整具１０・１１を説明する。
高さ調整具１０は、平板をリング状に形成してなるもので、高さ調整具１１は、リング体１１ａに脚１１ｂを４本設けてなるものであり、必要に応じて組み合せて使用するものである。【００１５】  上記各実施例においては、各部位の大きさや材質等は必要に応じて決めればよく、特に限定しないものとする。
【図面の簡単な説明】
【００１６】
【図１】  本発明の第１実施例を示す犬・猫用水洗便器の斜視図。
【図２】  本発明の第１実施例を示す犬・猫用水洗便器の枠体の平面図。
【図３】  本発明の第１実施例を示す犬・猫用水洗便器の一部縦断正面図。
【図４】  本発明の第１実施例を示す犬・猫用水洗便器の使用状態平面図。
【図５】  本発明の第２実施例を示す犬・猫用水洗便器の斜視図。
【図６】  本発明の第３実施例を示す犬・猫用水洗便器の高さ調整具の斜視図。
【図７】  本発明の第３実施例を示す犬・猫用水洗便器の別の高さ調整具の斜視図。
【符号の説明】
【００１７】  １−−−犬・猫用水洗便器
２−−−枠体
３−−−洗浄水路
４−−−タンク
５−−−センサ
６−−−自動弁管
７−−−手動弁管
８−−−屈曲管
９−−−制御部
１０−−−高さ調整具
【図１】
2005287490.tif 000003
【図２】
2005287490.tif 000004
【図３】
2005287490.tif 000005
【図４】
2005287490.tif 000006
【図５】
2005287490.tif 000007
【図６】
2005287490.tif 000008
【図７】
2005287490.tif 000009